(57)【要約】  【課題】  移動操作の速さや、細かさの如何に関わらず、安定した確実な移動竿の上下移動と止め片の掛け外し操作の行われる竿操作装置を得る。【解決手段】  竿内に支軸上で回転自由に支持される操作歯車を設け、該操作歯車に該操作歯車と噛合う刻み目付の操作帯を巻き掛けてその引き側の垂下部を移動操作部とし他方の側を止め操作部とし、操作歯車の下に移動操作部に向かって往復運動自由に案内されその前面に竿帯の刻み目と噛合う掛け歯面を有し自ら後退する止め片と、案内手段により前後に傾動自在に支持されその前側に操作帯の帯案内面をその後側に止め片の後側に伸び出す押し部を備え一定の後退力で後方に傾く押出しレバーと、移動操作部側の外側に操作帯を受け止める前壁面を設け、止め操作部を操作することにより止め片と前壁面との間で操作帯をロックして保持するようにした。【選択図】        図２
2005336935.tif 000002
【特許請求の範囲】
【請求項１】
竿体内に回転自由に支持され一部で竿移動保持装置に回転連結される水平軸を備える水平遮蔽羽ブラインドにおいて、
（１）    
少なくとも竿体内に回転自由に支持される支軸に固定され任意の回転伝導機構を介して前記水平軸に回転が連結される操作歯車
（２）    
その一面に前記操作歯車に噛合う刻み目を有し、操作歯車に巻掛けられてその引き側の垂下部分が移動操作部をなし、他方の側が押出しレバーの案内面を通って下に垂下され止め操作部をなす操作帯
（３）    
操作歯車の下の空間内で案内手段に案内されて移動操作部の刻み目に向かって往復運動自由で、その前側面に操作帯の刻み目に噛合う掛り歯面を備えその後側に押出しレバーの押当て面を備える止め片
（４）    
止め片の掛り外し手段
（５）    
操作歯車の下部で案内手段に傾動自由に支持され、その前側部に凸に湾曲した操作帯の帯案内面と止め片の後方に伸び出し前記押当て面の押し部を有するレバー部を備える押出しレバー
（６）    
押出しレバーの戻し手段
（７）    
操作歯車の操作帯の引き側の始まる部分の竿体側に下方に向かって形成され止め片に押出される操作帯を受け止める前壁面
を有し、操作帯の移動操作部により移動竿の上下移動を行い、操作帯の止め操作部により止め片の掛け操作を行うことを特徴とする水平遮蔽羽ブラインドの竿操作装置。
【発明の詳細な説明】
【技術分野】
【０００１】
本発明は、水平遮蔽羽ブラインドにおいて、上部竿に設けられ移動竿を上下に移動させ且つ保持する昇降紐の巻取りドラムの軸や、上部より垂下される刻み目付竿帯上において該刻み目付竿帯に噛合う移動竿内の移動歯車の軸など、竿移動保持装置の水平軸を回転操作するための竿操作装置に関する。
【背景技術】
【０００２】
従来、水平遮蔽羽ブラインドの移動竿は上部の固定竿内に設けた竿移動装置より垂下された昇降紐や薄い金属性テープにより上下の調節と保持が行われるものが一般に広く普及している。
【０００３】
本願と同一出願人の先の出願、特願２００３−３１４１４８号には歯付ベルトのような刻み目付竿帯を用いた竿移動保持装置と共に、刻み目付の手繰り帯輪を用いた操作手段が示されている。竿内に回転自在に支持される水平軸上に、竿移動保持装置とこれと間隔をおいて操作歯車が固定に設けてあり、該操作歯車に巻掛けられた刻み目付の手繰り帯輪は、その巻掛け部の表側を引き側として移動竿の上下移動の操作をし、その後側を弛み側として下方に引くことにより竿の落下止めである戻り止片の掛け操作に用いている。
【特許文献１】特願２００３−３１４１４８号明細書。
【特許文献２】特願２００４−０８５８１９号明細書。
【発明の開示】
【発明が解決しようとする課題】
【０００４】
特願２００３−３１４１４８号等に示される竿操作装置は、竿の移動操作の際に、手繰り帯輪の弛み側は、帯輪との噛合いから外れた戻り止片の重量などの落下後退する力によりケースの窪み面内に押されている。そこで、竿を急いで引き上げる際に、手繰り帯輪の弛み側はその急速移動に伴う帯輪の慣性抵抗や接触による抵抗等により下方へ引っ張られる結果、戻り止片を不意に前方へ押出すようになり、戻り止片の前側に形成される歯面が手繰り帯輪の引き側の内面に接触するなどの不具合を生ずることがある。そこで、戻り止片の落下後退する方向の力をバネ等を用いて強くすると、戻り止片が外れ易くなる等の欠点を生ずるので、限界がある。
本発明の目的は、前述のような竿操作装置における欠点に鑑み、操作帯の移動速さ等に影響されず、作動が確実で安定した戻り止め操作の出来る竿操作装置を提供しようとするものである。
【課題を解決するための手段】
【０００５】
上記目的を達成するために、本発明は、竿体内に回転自由に支持され一部で竿移動保持装置に回転連結される水平軸を備える水平遮蔽羽ブラインドにおいて、
（８）    
少なくとも竿体内に回転自由に支持される支軸に固定され任意の回転伝導機構を介して前記水平軸に回転が連結される操作歯車
（９）    
その一面に前記操作歯車に噛合う刻み目を有し、操作歯車に巻掛けられてその引き側の垂下部分が移動操作部をなし、他方の側が押出しレバーの案内面を通って下に垂下され止め操作部をなす操作帯
（１０）                        
操作歯車の下の空間内で案内手段に案内されて移動操作部の刻み目に向かって往復運動自由で、その前側面に操作帯の刻み目に噛合う掛り歯面を備えその後側に押出しレバーの押当て面を備える止め片
（１１）                        
止め片の掛り外し手段
（１２）                        
操作歯車の下部で案内手段に傾動自由に支持され、その前側部に凸に湾曲した操作帯の帯案内面と止め片の後方に伸び出し前記押当て面の押し部を有するレバー部を備える押出しレバー
（１３）                        
押出しレバーの戻し手段
（１４）                        
操作歯車の操作帯の引き側の始まる部分の竿体側に下方に向かって形成され止め片に押出される操作帯を受け止める前壁面
を有し、操作帯の移動操作部により移動竿の上下移動を行い、操作帯の止め操作部により止め片の掛け操作を行うことを特徴とするものである。
ここで、（１）において、少なくとも・・を介して前記水平軸に回転が連結されるとは、操作歯車を水平軸に直に固定して回転を連結することを含むことを意味するものである。    又、（２）において、操作帯はその引き側の垂下部と、他方の弛み側の垂下部とが切離されていてもよいが、なるべくは輪状、ないし輪状に接合されていることが好ましい。
さらに、（３）において、止め片の案内手段は、支軸に回転自由に支持されたアーム部、あるいはケースに形成された案内溝とこれに嵌まる止め片の凸部など、当業者が任意に選択して設けることが出来る。
さらに、（４）における止め片の掛り外し手段は、止め片の自重やバネ等の弾性体を用いて止め片の後退する力、即ち、外れ方向の力を与える手段であって、当業者が任意に選択して実施し得る。
さらに、（５）において、押出しレバーの案内手段は、レバーピン等に限らず押出しレバーの傾動点を支えるあらゆる支持法を自由選択し得る。
さらに、（６）における押出しレバーの戻し手段は、押出しレバー部を後ろ方向に傾けて保つもので、一方を押出しレバーの一部に掛けられ他方を竿体側に掛けられた戻しバネなど、押出しレバー部の一部に取付けられた弾性体、あるいは押出しレバーの後ろ側の重りなど当業者が任意に選択して設け得る。
【０００６】
止め片の運動空間の下部にその前端面が止め片後退時における止め片の掛り歯面より前方に出っ張るように形成される内側案内手段を設けるとよい。
ここで、内側案内手段は、操作帯の引き側の垂下部と弛み側の垂下部との間を分離するように形成された内案内壁、あるいは、水平ピンに支持された内側ローラなど類似の手段が考えられる。
【発明の効果】
【０００７】
本発明によれば、止め片が操作帯の移動操作速度に影響受けることがない。又、止め片の後退する力を操作と保持の点から最も適切なものに設定することが出来る。従って、速やかな移動竿の昇降操作と細かな送りの出来る竿操作装置が得られる。
【発明を実施するための最良の形態】
【０００８】
竿移動操作による止め片の不安定な動きを抑える目的を、操作帯の止め片操作部側に操作帯の操作速度に影響されない押出しレバーを設け、該押出しレバーにより止め片を掛ける操作をするようにしたことにより達成された。
【実施例１】
【０００９】
図１〜３に示される水平遮蔽羽のブラインドは、上部竿１内に軸受７と竿操作装置８の軸受に回転自由に支持された四角の軸断面の水平軸９を備え、該水平軸９上に竿移動保持装置６とこれと並列に設けられた竿止め手段を含む竿操作装置８を備えている。水平軸９上には竿帯３に対応する位置に一対の筒体１０がその軸心の四角孔で水平軸上を滑り移動可能且つ軸と同時回転するように回転が連結されている。竿帯３はその表面側に刻み目を有する歯付ベルトで、その下端を移動竿２に結合されている。その上方側は筒体10の外周にきっちりと螺旋状に巻き取られ、そして巻き戻されたりして移動竿２を平行に移動し、そして平行に保持する竿移動保持装置６が構成されている。上部竿１内の筒体１０上に嵌まる摩擦リングの羽操作手段３３から移動竿２に垂下される一組の羽保持紐４に水平遮蔽羽５が保持され遮蔽調節面Ａが形成されている。水平軸９の右側部に上部竿１に固定された竿操作装置８の操作ケース１１があり、該操作ケース１１内に回転自由に嵌まる支軸１２を備える操作歯車１３が設けてある。該操作歯車１３の左側の軸端部には小歯車２５が一体に形成されている。該小歯車２５は水平軸９の右側端部に固定されたギヤーボス１９に固く嵌まった内歯車３５と噛合わされており、水平軸９と回転が連結されている。操作歯車１３には輪状に繋がれた歯付ベルトの操作帯１４が噛合わされて巻き掛けられている。操作帯１４の操作歯車１３の前側を垂下する部分は、竿を操作する際に竿の重量の懸る引き側で移動操作部１５になる。一方、操作歯車１３の後側を垂下する部分は押出しレバー２２の案内面２３を通って下に垂下される弛み側で止め操作部１６をなしている。操作歯車１３の下の空間内には前後に揺動する止め片１７がある。該止め片１７は、操作歯車１３の右側の支軸１２部分に軸受を介して揺動自由に嵌まるアーム部２０の端に操作歯車側へ出っ張るような形で一体に形成されており、アーム部２０に案内されて水平軸９の周りに揺動する。該止め片１７はその前側面に操作帯の刻み目に噛合う掛り歯面１８が形成され、その後側は押出しレバーの押当て面１９をなしている。該止め片１７はその掛り歯面１８が操作帯の刻み目との噛合いから外れた時は自らの重量で後退する。止め片１７の下部に操作ケース１１に左右に水平に固定されたレバーピン２１があり、該レバーピン２１に回転自在に支持された押出しレバー２２が設けてある。該押出しレバー２２はそのピン孔の前側に操作帯１４の後側の垂下部分を受けて下へ導く凸に湾曲した帯案内面２３があり、ピン孔の上部には止め片１７の後方側に伸び出した位置に押し部２４を備えるレバー部２６を有する。ここでは、押し部２４は横方向のピン状に造られている。押出しレバー２２を支持するレバーピン２１の部分にそのコイル部を嵌め込まれ、その一方の脚を押出しレバーの帯案内面２３の下側に挿入され、他方の脚を操作ケース１１の下部に受け止められたレバー戻し手段の戻しバネ２９がある。そこで、押出しレバー２２は図で示されるように、常時そのレバー部２６が操作ケース１１の後壁に当たって後方に立ち上った状態に保たれる。操作ケース１１には操作歯車１３の前側の部分に下方に伸びる前壁面２７が形成されて���る。該前壁面２７は止め片１７の掛り歯面１８が操作帯１４を押してきた時に、操作帯１４を掛り歯面１８との間で挟んで保持する受け止め面の働きをする。止め片１７の運動空間の下部に、その前端面が止め片後退時の掛り歯面１８より幾分前方に出っ張った内側案内手段の内案内壁２８が形成されている。該内側案内手段は絶対に必要なものではないが、竿移動操作時に移動操作部１５の傾きが充分でない時に、その内側が掛り歯面１８に接触するを防ぐ働きをする。又、操作帯の引き側の垂下部分と弛み側の垂下部分の内側が接触するのを防ぐ働きもする。
図２に示される状態で、操作帯１４の移動操作部１５を矢印３０のように下方に引くと、止め片１７はその掛り歯面１８が操作帯１４の刻み目から外れて後退し、押当て面１９が押し部２４に当った位置に保たれる。そして操作歯車１３は矢印の方向に回転して内歯車３５を矢印の方向に回し、水平軸９を介して筒体１０を回して竿帯３と移動竿２を矢印３１のように上方へ動かす。移動操作部１５を上方に戻せば、移動竿２はその重量で下方に動く。このように移動操作部１５を操作することで移動竿２を上下させることが出来る。移動操作部１５をその位置に保ったまま、止め操作部１６を矢印３２のように下方に引くと、図２に仮想線で示されるように押出しレバー２２の帯案内面２３が戻しバネ２９の力に打ち勝って下方に傾き、押し部２４が止め片１７を前方に押し出す。そして止め片１７の掛り歯面１８は操作帯１４をその刻み目に噛合うよにしながら前壁面２７に押し付ける。止め操作部１６側をその状態に保ったまま、移動操作部１５側の引く力を弛めることにより、操作帯１４は移動竿２側の重量で止め片１７を上へ強く引いて前壁面２７と掛り歯面１８の間で自らロックされる。このようにして移動竿２はその位置に保持される。移動操作部１５側と止め操作部１６側を細かく操作することにより、移動竿２の微細な移動を行うことが出来る。又、筒体１０上に嵌まる羽操作手段３３を細かく動かして水平遮蔽羽５の傾きを細かく調整することが出来る。これにより移動操作部１５による移動操作の速さの如何に関わらず、戻しバネ２９の力で押し出レバーのレバー部２６は後方に立ち上った状態に保たれ、作動が確実で安定した戻り止め操作の出来る竿操作装置８を得ることが出来る。
【実施例２】
【００１０】
図４〜５は他の実施例で、上部より垂下される一組の竿帯３ａ上に移動竿２ａがその竿自体内に竿体に回転自由に支持される水平軸９ａ上に固定され竿帯３ａと噛合う移動歯車３４を有し、移動歯車３４を介して竿帯３ａ上を移動し保持する竿移動保持装置６ａを有する。ここに示される竿操作装置８ａは、操作歯車１３ａと水平軸９ａ間の歯車伝導機構部分を除けば、前述のものと基本的に同じである。以後の実施例の説明において、前述の例と同一部分には同一の符号にａ、ｂ、ｃの添字を付して示しその詳しい説明を省略して主に異なる部分について説明する。操作ケース１１ａ内に固定される支軸１２ａに軸受を介して回転自由に嵌まる操作歯車１３ａが設けてある。該操作歯車１３ａの左側の側部には小歯車２５ａが一体に形成されている。該小歯車２５ａは同じ位置で水平軸９ａ上に固く嵌まっている大歯車３５ａと噛合わされており、操作歯車１３ａは互いに回転方向が反対になるようにして水平軸９ａと回転が連結されている。そこで操作帯１４ａの移動操作部１５ａを矢印３０ａのように下方に引くと、止め片１７ａは操作帯１４ａより外れて後退する。そして操作歯車１３ａは矢印の方向に回転して大歯車３５ａと水平軸９ａを矢印の方向に回す。移動歯車３４は水平軸９ａの回転と共に回り移動竿２ａは竿帯３ａ上を矢印３１ａのように上方へ移動する。竿移動操作並びに戻り止め操作等は前例と同じである。ここでは、内案内手段は操作ケース１１ａ水平にに固定されたピンに嵌まる内案内ローラ２８ａからなっており、操作帯の移動操作部１５ａの接触移動がより滑らかである。
【実施例３】
【００１１】
図６〜７は竿操作装置の操作歯車が上部竿の水平軸に直に固定され、回転連結されている実施例である。竿操作装置８ｂは、上部竿１ｂに固定された操作ケース１１ｂ内で水平軸９ｂ上に固定された操作歯車１３ｂを有する。該操作歯車の下に形成される止め片１７ｂの運動空間の左右の操作ケース１１ｂの壁には、止め片の運動方向にキー溝状に伸びる案内溝２０ｂが設けてある。一方、止め片１７ｂの左右の側面には案内溝２０ｂに嵌まるキー状の案内突部１９ｂが設けられており、止め片の案内手段が形成されている。そこで止め片１７ｂは運動空間内で案内溝２０ｂに案内されて前後に運動する。ここで、押出しレバー２２ｂはピン孔の後側に後方に伸び出た戻し重り２９ｂのレバー戻し手段を有する。該戻し重り２９ｂは押し出レバーが後方へいっぱいに傾いた時に、上部竿１ｂの底壁の上面に当り戻り止めの働きも兼ねている。ここに示す竿移動保持装置６ｂは、水平軸９ｂ上の竿帯３ｂに向合う位置に一組の巻掛け歯車３４ｂを固定に備え、該巻掛け歯車３４ｂに下方を移動竿に結合された竿帯３ｂが後側より前側に垂下するように巻掛けられている。そこで、移動竿は水平軸９ｂの回転と停止により上下移動と停止を行う。竿移動操作並びに戻り止め操作等の詳細は前２例と同じである。
【実施例４】
【００１２】
図８は竿操作装置の操作歯車が上部竿の前面に水平軸に対して直角に取付けられた実施例である。上部竿１ｃの前部に固定された操作ケース１１ｃに水平軸９ｃと直角方向に支軸１２ｃが固定されており、該支軸１２ｃに回転自由に操作歯車１３ｃ嵌まっている。該操作歯車１３ｃの後ろ側には小傘歯車２５ｃが一体に形成されており、水平軸９ｃ上に固定されている大傘歯車３５ｃと噛合わされている。そこで操作帯１４ｃの移動操作部１５ｃを矢印３０ｃのように下方に引くと、止め片１７ｃは操作帯１４ｃより外れて後退し、操作歯車１３ｃは矢印の方向に回転して大傘歯車３５ｃと水平軸９ｃを矢印の方向に回す。筒体１０ｃは水平軸９ｃと共に回り竿帯を巻き上げてその下部に結合された移動竿を上昇せしめる。このようにして移動竿は水平軸９ｃの回転と停止により上下移動と停止を行う。竿移動操作並びに戻り止め操作等の詳細は前例と同じである。
本発明の竿操作装置は、竿移動保持装置の水平軸上に直に、あるいは他の軸上に操作歯車を設けて任意の伝導機構を介して回転を連結し、竿移動保持装置を操作するようにすることが出来る。
【産業上の利用可能性】
【００１３】
本発明の竿操作装置は、竿帯を筒体等へ巻取り方式、あるいは移動歯車等により竿自体が竿帯上を移動する方式の竿移動保持装置を備える水平遮蔽羽ブラインドにおいて広く実用に供することが出来る。
【図面の簡単な説明】
【００１４】
【図１】実施例を示す水平遮蔽羽ブラインドの正面図である。
【図２】図１における２−２断面図で中間部分を短縮して示す拡大図ある。
【図３】図１における３−３断面図で一部分を短縮して示す拡大図ある。
【図４】他の実施例を示す水平遮蔽羽ブラインドの縦断面図で上下部分を省略して示す図ある。
【図５】図４における５−５断面図である。
【図６】他の実施例を示す水平遮蔽羽ブラインドの縦断面図で下の部分を省略して示す図ある。
【図７】図６における７−７断面図である。
【図８】他の実施例を示す水平遮蔽羽ブラインドの正面断面図で下部を省略して示す図である。
【符号の説明】
【００１５】
１、１ｂ、１ｃ  上部竿
２、２ａ、 
移動竿
３、３ａ、３ｂ 
竿帯
４  羽保持紐
５、５ｂ、５ｃ  水平遮蔽羽
６、６ａ、６ｂ、６ｃ 
竿移動保持装置
８、８ａ、８ｂ、８ｃ 
竿操作装置
９、９ａ、９ｂ、９ｃ  水平軸
１０、１０ｃ 
筒体
１１、１１ａ、１１ｂ、１１ｃ  操作ケース
１２、１２ａ、１２ｃ 
支軸
１３、１３ａ、１３ｂ、１３ｃ  操作歯車
１４、１４ａ、１４ｂ、１４ｃ  操作帯
１５、１５ａ、１５ｂ、１５ｃ  移動操作部
１６、１６ａ、１６ｂ、１６ｃ  止め操作部
１７、１７ａ、１７ｂ、１７ｃ  止め片
１８、１８ａ、１８ｂ、１８ｃ  掛り歯面
１９，１９ａ  押当て面
１９ｂ  案内突部
２０、２０ａ  アーム部
２０ｂ  案内溝
２１、２１ａ、２１ｂ  レバーピン
２２、２２ａ、２２ｂ、２２ｃ  押出しレバー
２３、２３ａ、２３ｂ、２３ｃ  帯案内面
２４、２４ａ、２４ｂ  押し部
２５、２５ａ  小歯車
２５ｃ  小傘歯車
２６、２６ａ、２６ｂ、２６ｃ  レバー部
２７、２７ａ、２７ｂ、２７ｃ前壁面
２８、２８ｂ、２８ｃ 
内案内壁
２８ａ  内案内ローラ
２９、２９ａ、２９ｃ  戻しバネ
２９ｂ  戻し重り
３４、３４ｂ  移動歯車
３５ 
内歯車
３５ａ 
大歯車
３５ｃ 
大傘歯車
【図１】
2005336935.tif 000003
【図２】
2005336935.tif 000004
【図３】
2005336935.tif 000005
【図４】
2005336935.tif 000006
【図５】
2005336935.tif 000007
【図６】
2005336935.tif 000008
【図７】
2005336935.tif 000009
【図８】
2005336935.tif 000010